(57)【要約】【課題】顧客が、店頭で陳列されている後付けルームミラーなどのカー用品を実使用したときの使用感を、手軽に、しかも、正確に認識することが可能になる販売促進ツールとしてのカー用品販促媒体を提供する。【解決手段】サイズが互いに相違しているカー用品、たとえば後付けルームミラーについての複数の店頭陳列品に共通する四角形の外形を備えた擬似用品３０の表面に、サイズの異なる複数の店頭陳列品のそれぞれについての実寸大の外縁輪郭線と、店頭陳列品を示す商品情報とを施す。店頭陳列品のそれぞれについての実寸大の外縁輪郭線を、擬似縁枠部３２の横長内縁輪郭線４０ａ，４０ｂ又は擬似反射面３１に施した横長直線表示４１ａ，４１ｂとから選択される２本の横長直線と、擬似縁枠部３２の縦長内縁輪郭線４０ｃ，４０ｄ又は擬似反射面３１に施された縦長直線表示４１ｃ，４１ｄとから選択される２本の縦長直線と、の組み合わせによって表示する。【選択図】図２
0003197845.tif 000002
【実用新案登録請求の範囲】
【請求項１】
カー用品の店頭陳列品を対象とするカー用品販促媒体であって、
種類及び形状が同一範疇に属してサイズが互いに相違しているカー用品についての複数の店頭陳列品に共通する包括的な外形を備えた擬似用品の表面に、サイズの異なる複数の上記店頭陳列品のそれぞれについての実寸大の外縁輪郭線が表示されていることを特徴とするカー用品販促媒体。
【請求項２】
上記擬似用品の表面に、上記外縁輪郭線の表示に対応する上記店頭陳列品を示す商品情報が施されている請求項１に記載したカー用品販促媒体。
【請求項３】
店頭陳列品としてのカー用品が、既設ルームミラーに装着して使用される横長矩形の後付けルームミラーであり、その後付けルームミラーが、矩形の反射面とその反射面の周囲の矩形環状の縁枠部とを有し、
上記擬似用品が、矩形の擬似反射面とその擬似反射面の周囲の矩形環状の擬似縁枠部とを有し、
サイズが互いに相違している複数の上記店頭陳列品のそれぞれについての実寸大の外縁輪郭線が、上記擬似縁枠部の横長内縁輪郭線又は上記擬似反射面に施された横長直線表示とから選択される２本の横長直線と、上記擬似縁枠部の縦長内縁輪郭線又は上記擬似反射面に施された縦長直線表示とから選択される２本の縦長直線と、の組み合わせによって表示されている請求項１又は請求項２に記載したカー用品販促媒体。
【請求項４】
店頭陳列品としてのカー用品が、既設ルームミラーに装着して使用される横長矩形の後付けルームミラーであり、その後付けルームミラーが、矩形の反射面とその反射面の周囲の矩形環状の縁枠部とを有し、
上記擬似用品が、矩形の擬似反射面とその擬似反射面の周囲の矩形環状の擬似縁枠部とを有し、
サイズが互いに相違している複数の上記店頭陳列品のそれぞれについての実寸大の外縁輪郭線が、上記擬似縁枠部の２本の横長内縁輪郭線によって形成されている２本の横長直線と、上記擬似縁枠部の縦長内縁輪郭線と上記擬似反射面に施された縦長直線表示とから選択される２本の縦長直線と、の組み合わせによって表示されている請求項１又は請求項２に記載したカー用品販促媒体。
【請求項５】
店頭陳列品としてのカー用品が、既設ルームミラーに装着して使用される横長矩形の後付けルームミラーであり、その後付けルームミラーが、矩形の反射面とその反射面の周囲の矩形環状の縁枠部とを有し、
上記擬似用品が、矩形の擬似反射面とその擬似反射面の周囲の矩形環状の擬似縁枠部とを有し、
サイズが互いに相違している複数の上記店頭陳列品のそれぞれについての実寸大の外縁輪郭線が、上記擬似縁枠部の横長内縁輪郭線と上記擬似縁枠部の擬似反射面に施された横長直線表示とから選択される２本の横長直線と、上記擬似縁枠部の２本の平行な縦長内縁輪郭線によって形成されている２本の縦長直線との組み合わせによって表示されている請求項１又は請求項２に記載したカー用品販促媒体。
【請求項６】
上記擬似用品の擬似反射面に、当該擬似用品が、実用に不向きな店頭陳列品である旨を顧客に知らせるための盗難予防表示が施されている請求項３ないし請求項５のいずれか１項に記載したカー用品販促媒体。
【考案の詳細な説明】
【技術分野】
【０００１】
本考案は、自動車の床マットや遮熱シート、後付けルームミラーといった多種多様なカー用品についての販売促進ツールとして使用されるカー用品販促媒体に関する。
【背景技術】
【０００２】
カー用品販売店では、自動車の既設ルームミラーに装着して使用される後付けルームミラーのほか、自動車用の床マットや遮熱シート、シート用クッション、ウインドウに装着される遮光板やサンシェードなど、様々な範疇に属するカー用品が店頭陳列品として販売されている。これらのカー用品にあっては、サイズが互いに相違しているとしても、同一範疇に属して包括的又は実質的な外形が類似しているもの、言い換えると、外形が常識的に同一と考えることができるものは１箇所に集めて陳列されていることが多い。たとえば、形状やサイズの異なる複数の後付けルームミラーの中で、包括的な形状が横長矩形で、サイズが互いに相違しているものは、陳列棚などの１箇所に集めて陳列されていることが多い。床マットや遮熱シート、遮光板、サンシェードといった他の範疇に属するカー用品についても同様である。そのため、カー用品店を訪れた顧客は、１箇所に集めて陳列されている同一範疇に属するカー用品としての店頭陳列品、たとえば後付けルームミラーのパッケージを手に取り、その後付けルームミラーの形状やサイズ、さらにはその反射面の光学的性質などを確認するという手順を踏んで購入するか否かを決定するのが一般的であると云える。
【０００３】
後付けルームミラーについては、その基本的構成の一例がたとえば特許文献１によって開示されている。この特許文献１によって開示されている後付けルームミラーは、その外縁輪郭線の形状が横長矩形である。また、この後付けルームミラーは、矩形の反射面とその反射面の周囲の矩形環状の矩形環状の縁枠部とを有していると共に、既設ルームミラーの反射面を覆う形態でその既設ルームミラーに着脱可能するための取付顎を備えている。
【０００４】
図６は、店頭陳列品であるカー用品としての後付けルームミラーのパッケージＰを、陳列状況に即した縦長姿勢で示した正面図である。同図のパッケージＰは、台紙１とその台紙１に重ねられた後付けルームミラー５とが透明カバー２によって一体化されている。そして、台紙１や透明カバー２には、後付けルームミラー５の縦横のサイズや商品番号、反射面の光学的性質などの商品情報が表示されている。また、台紙１の長手方向一端部に吊下げ孔３が開設されている。なお、図６において、６は後付けルームミラー５の矩形の反射面、７はその反射面６の周囲の矩形環状の縁枠部を示している。この種のパッケージＰでは、顧客は、後付けルームミラー５の形状、商品情報である縦横のサイズ又は光学的性質などを目で見て確認することによって購入の是非を判断しているものと考えられる。
【先行技術文献】
【特許文献】
【０００５】
【特許文献１】特開２０００−１６８４４３号公報
【考案の概要】
【考案が解決しようとする課題】
【０００６】
しかしながら、顧客にとって、パッケージＰの後付けルームミラー５や商品情報を見るだけでは、その後付けルームミラー５のサイズや光学的性質が、使用対象である自動車の既設ルームミラーに実際に装着した場合に適切であるか否かを正確に判断することに困難が伴う。言い換えると、店内で顧客が適切であるとして購入したパッケージＰの後付けルームミラー５を、使用対象である自動車の既設ルームミラーに実際に装着して使用したときに、サイズが大きすぎたり小さすぎたり、反射面６に写り込む視認範囲が広すぎたり狭すぎたりするという状況が起こり、満足のいく使用感が得られないことがある。
【０００７】
後付けルームミラーに限らず、他の範疇に属する店頭陳列品としてのカー用品、たとえば、自動車用の床マットや遮熱シート、シート用クッション、ウインドウに装着される遮光板やサンシェードなどのカー用品についても、購入したカー用品のサイズが実使用に適さないという事態が生じて、満足のいく使用感を得られないことがある。
【０００８】
本考案は、以上の状況に鑑みてなされたものであり、顧客が、店頭で陳列されているカー用品を実使用したときの使用感を、手軽に、しかも、従来に比べて正確に認識することが可能になる販売促進ツールとしてのカー用品販促媒体を提供することを目的としている。
【課題を解決するための手段】
【０００９】
本考案に係るカー用品販促媒体はカー用品の店頭陳列品を対象としている。そして、種類及び形状が同一範疇に属してサイズが互いに相違しているカー用品についての複数の店頭陳列品に共通する包括的な外形を備えた擬似用品の表面に、サイズの異なる複数の上記店頭陳列品のそれぞれについての実寸大の外縁輪郭線が表示されている、というものである。
【００１０】
ここで、「種類が同一範疇に属するカー用品」とは、使用目的が同一のカー用品のことであり、「形状が同一範疇に属するカー用品」とは、外縁輪郭線の基本的な形状が常識的に同一種類に属すると観念できるカー用品を指す。たとえば、基本形状が常識的に四角形であると観念できるカー用品では、コーナ部が角張っていても丸味を帯びていても、さらには縦長であっても横長であっても、外縁輪郭線の一部に凹凸があっても、それらは形状が同一範疇に属するカー用品であるとする。基本形状が常識的に四角形以外の多角形であると観念できるカー用品についても同様である。また、基本形状が常識的に丸形であると観念できるカー用品では、外縁輪郭線の一部に凹凸があるとしても、それらは形状が同一範疇に属するカー用品であるとする。「サイズが互いに相違しているカー用品」とは、いわゆる大きさが互いに相違している２つ以上のカー用品のことである。「複数の店頭陳列品に共通する包括的な外形」とは、常識的に同一であると観念できる複数の店頭陳列品についての外縁輪郭線の形状のことである。さらに、「カー用品」には、たとえば、後付けルームミラー、床マット、遮熱シート、シート用クッション、遮光板、サンシェードなどの使用目的が自動車に特化されたカー用品が含まれる。
【００１１】
カー用品販促媒体が上記の構成を備えていると、カー用品販促媒体を顧客が店頭から持ち出し、店内駐車スペースに停めてある自動車で、そのカー用品販促媒体の使用感を実際に試すということが可能なる。併せて、擬似用品の表面に表示されているところの、店頭陳列品についての実寸大の外縁輪郭線を参照することによって、どの店頭陳列品が実使用に適し、満足のいく使用感を得られるか否か、ということを正確に認識することができるようになる。
【００１２】
本考案では、上記擬似用品の表面に、上記外縁輪郭線の表示に対応する上記店頭陳列品を示す商品情報が施されていることが望ましい。この構成を有するカー用品販促媒体によると、顧客は、その商品情報を手掛かりにして、実使用に適する店頭陳列品を選択し、購入することができる。
【００１３】
本考案では、店頭陳列品としてのカー用品として、既設ルームミラーに装着して使用される横長矩形の後付けルームミラーを選択することができる。特に、矩形の反射面とその反射面の周囲の矩形環状の縁枠部とを有する後付けルームミラーを選択することができる。そして、この場合の上記擬似用品は、矩形の擬似反射面とその擬似反射面の周囲の矩形環状の擬似縁枠部とを有し、サイズが互いに相違している複数の上記店頭陳列品のそれぞれについての実寸大の外縁輪郭線が、上記擬似縁枠部の横長内縁輪郭線又は上記擬似反射面に施された横長直線表示とから選択される２本の横長直線と、上記擬似縁枠部の縦長内縁輪郭線又は上記擬似反射面に施された縦長直線表示とから選択される２本の縦長直線と、の組み合わせによって表示されている、という構成を採用することが可能である。
【００１４】
また、上記場合の擬似用品は、矩形の擬似反射面とその擬似反射面の周囲の矩形環状の擬似縁枠部とを有し、サイズが互いに相違している複数の上記店頭陳列品のそれぞれについての実寸大の外縁輪郭線が、上記擬似縁枠部の２本の横長内縁輪郭線によって形成されている２本の横長直線と、上記擬似縁枠部の縦長内縁輪郭線と上記擬似反射面に施された縦長直線表示とから選択される２本の縦長直線と、の組み合わせによって表示されている、という構成を採用することも可能である。
【００１５】
さらに、上記場合の擬似用品は、矩形の擬似反射面とその擬似反射面の周囲の矩形環状の擬似縁枠部とを有し、サイズが互いに相違している複数の上記店頭陳列品のそれぞれについての実寸大の外縁輪郭線が、上記擬似縁枠部の横長内縁輪郭線と上記擬似縁枠部の擬似反射面に施された横長直線表示とから選択される２本の横長直線と、上記擬似縁枠部の２本の平行な縦長内縁輪郭線によって形成されている２本の縦長直線との組み合わせによって表示されている、という構成を採用することも可能である。  
【００１６】
さらに本考案にあっては、上記擬似用品の擬似反射面に、当該擬似用品が、実用に不向きな店頭陳列品である旨を顧客に知らせるための盗難予防表示が施されていることが望ましい。この構成を採用する場合において、「擬似用品が、実用に不向きな店頭陳列品である旨を顧客に知らせるための盗難予防表示」としては、「擬似用品が実用に耐え得る耐久性を有していない」ことが判る表示、「擬似用品が後付けルームミラーの販売店の所有物である」ことが判る表示が該当し、具体的には「見本」「サンプル」「非売品」などの文字列による表示や、「特定の販売店の名称」の表示などが該当する。
【図面の簡単な説明】
【００１７】
【図１】本考案の実施形態によるカー用品販促媒体の模式図である。
【図２】後付けルームミラーを対象とする販促媒体の他の実施形態の正面図である。
【図３】後付けルームミラーを対象とする販促媒体Ａのさらに他の実施形態の正面図である。
【図４】後付けルームミラーを対象とする販促媒体Ａのさらに他の実施形態の正面図である。
【図５】後付けルームミラーを対象とする販促媒体Ａのさらに他の実施形態の正面図である。
【図６】後付けルームミラーのパッケージを縦長姿勢で示した正面図である。
【考案を実施するための形態】
【００１８】
図１は本考案の実施形態によるカー用品販促媒体Ａを正面から見て説明的に示した模式図である。図例のカー用品販促媒体（以下「販促媒体」という。）Ａが対象としている店頭陳列品は外形が四角形のカー用品であり、この種のカー用品には、たとえば自動車のサイドガラスの内側に装着して遮光目的に使用される外形が四角形の遮光板が該当する。したがって、外形が四角形でないもの、たとえば、仮に外形が半円形や扇形の遮光板が店頭陳列品として存在していて、それらのカー用品としての種類が同一範疇に属しているとしても、外形が四角形という形状の範疇に属していないために図例の販促媒体Ａが対象としている店頭陳列品から除かれる。また、図例の販促媒体Ａが対象としている遮光板の店頭陳列品には、基本的な外形が常識的に四角形であると観念できる遮光板の店頭陳列品が含まれるのであって、仮に、コーナー部が角張っていても丸味を帯びていても、さらには縦長であっても横長であっても、外縁の一部に凹凸があっても、それらは、常識的には外形が四角形であると観念することができるので、図例の販促媒体Ａの対象に含まれる。このことを言い換えると、図例の販促媒体Ａの対象には、サイズの大小にかかわらず、外形が互いに類似する四角形であると観念することのできる複数の遮光板の店頭陳列品が含まれる。
【００１９】
図例の販促媒体Ａは、「種類」が遮光板で「形状」が常識的に四角形であると認識することができるけれども、その一方でサイズが互いに相違している遮光板についての複数の店頭陳列品に共通する包括的な外形を有する擬似用品１０の表面、具体的には四角形の擬似用品１０の表面に、サイズの異なる複数の店頭陳列品のそれぞれについての実寸大の外縁輪郭線（後述する）が表示されてなる。
【００２０】
図１の擬似用品１０の表面に表示されている上記外縁輪郭線は、次に説明する複数本の横長直線と複数本の縦長直線との組み合わせによって構成される。
【００２１】
すなわち、複数本の横長直線には、擬似用品１０の上縁及び下縁によって形成される横長輪郭線２０ａ，２０ｂと、擬似用品１０の表面に施された２本の横長直線表示２１ａ，２１ｂと、が含まれる。また、複数本の縦長直線には、擬似用品１０の左縁及び右縁によって形成される縦長輪郭線２０ｃ，２０ｄと、擬似用品１０の表面に施された２本の縦長直線表示２１ｃ，２１ｄと、が含まれる。そして、小形サイズの遮光板に係る店頭陳列品についての実寸大の外縁輪郭線が、横長輪郭線２０ａと横長直線表示２１ａと縦長輪郭線２０ｄと縦長直線表示２１ｃと、の組み合わせによって表示されている。また、中形サイズの遮光板に係る店頭陳列品についての実寸大の外縁輪郭線が、横長輪郭線２０ａと横長直線表示２１ｂと縦長輪郭線２０ｄと縦長直線表示２１ｄと、の組み合わせによって表示されている。さらに、大形サイズの遮光板に係る店頭陳列品についての実寸大の外縁輪郭線が、２本の横長輪郭線２０ａ，２０ｂと２本の縦長輪郭線２０ｃ，２０ｄ、の組み合わせによって表示されている。さらに、横長輪郭線２０ａと横長直線表示２１ａと縦長直線表示２１ｃと縦長輪郭線２０ｄとの組み合わせが、小形サイズの遮光板に係る店頭陳列品についての実寸大の外縁輪郭線を示していることを顧客に認識させるために、横長直線表示２１ａ及び縦長直線表示２１ｃに、それらの直線表示２１ａ，２１ｃを指し示す「矢印」及びアルファベットの「Ｓ」の表記でなる商品情報が付されている。同様に、横長輪郭線２０ａと横長直線表示２１ｂと縦長直線表示２１ｄと縦長輪郭線２０ｄとの組み合わせが、中形サイズの遮光板に係る店頭陳列品についての実寸大の外縁輪郭線を示していることを顧客に認識させるために、横長直線表示２１ｂ及び縦長直線表示２１ｄに、それらの直線表示２１ｂ，２１ｄを指し示す「矢印」及びアルファベットの「Ｍ」の表記でなる商品情報が付されている。さらに、２本の横長輪郭線２０ａ，２０ｂと２本の縦長輪郭線２０ｃ，２０ｄの組み合わせが、大形サイズの遮光板に係る店頭陳列品についての実寸大の外縁輪郭線を示していることを顧客に認識させるために、横長輪郭線２０ｂ及び縦長輪郭線２０ｃにも、それらの直線表示２０ｂ，２０ｃを指し示す「矢印」及びアルファベットの「Ｌ」の表記でなる商品情報が付されている。この実施形態において、擬似用品１０は、販促媒体Ａが対象としている遮光板の店頭陳列品と同じ素材（たとえば、樹脂シート）を用いて製作されている。
【００２２】
販促媒体Ａが上記の構成を備えていると、その販促媒体Ａを顧客が店頭から持ち出し、店内駐車スペースに停めてある自動車で、その販促媒体Ａをサイドウインドなどに重ねて実際の使用感を試すということが可能なる。併せて、擬似用品１０の表面に表示されているところの、店頭陳列品についての実寸大の外縁輪郭線や、それに付されている商品情報を参照することによって、どの店頭陳列品が実使用に適し、満足のいく使用感を得られるか否か、ということを正確に認識することができる。そのため、顧客は、その商品情報を手掛かりにして、実使用に適する店頭陳列品を選択し、購入することができるようになる。
【００２３】
図１では遮光板の店頭陳列品の販売を促進するのに役立つ販促媒体Ａを示したけれども、同様の構成を備える販促媒体の対象となる店頭陳列品には、遮光板のほかに、たとえば、後付けルームミラー、床マット、遮熱シート、シート用クッション、サンシェードなどの多くの種類のカー用品が存在する。
【００２４】
次に、後付けルームミラーを対象とする販促媒体Ａの実施形態を説明する。図２は後付けルームミラーを対象とする販促媒体Ａの実施形態の正面図である。
【００２５】
図２の販促媒体Ａが対象としている店頭陳列品は、外形が四角形の後付けルームミラーの店頭陳列品である。後付けルームミラーは、自動車のフロントウインドウ上部に設置されている既設ルームミラーに装着して使用され、その一般的な形状は横長矩形である。また、この種の後付けルームミラーは、矩形の反射面とその反射面の周囲の矩形環状の縁枠部とを有している。
【００２６】
図２の販促媒体Ａが対象としている後付けルームミラーの店頭陳列品には、基本的な外形が常識的に横長の矩形（四角形）であると観念できる後付けルームミラーの店頭陳列品が含まれるのであって、仮に、コーナ部が角張っていても丸味を帯びていても、外縁の一部に凹凸があっても、それらは、常識的には外形が四角形であると観念することができるので、図例の販促媒体Ａの対象に含まれる。
【００２７】
図２の販促媒体Ａは、横長矩形の擬似用品３０の表面に、サイズの異なる複数の店頭陳列品のそれぞれについての実寸大の外縁輪郭線（後述する）が表示されてなる。
【００２８】
擬似用品３０は、「種類」が後付けルームミラーで「形状」が常識的に横長矩形であると認識することができるけれども、その一方でサイズが互いに相違している後付けルームミラーについての複数の店頭陳列品に共通する包括的な外形、具体的には横長四角形の外形を有している。また、この擬似用品３０は、横長矩形の擬似反射面３１とその擬似反射面３１の周囲の矩形環状の擬似縁枠部３２とを有していて、擬似反射面３１や擬似縁枠部３２には、当該販促媒体Ａが対象としている後付けルームミラーの反射面や縁枠部と同様の素材が使用され、同様の着色になっている。
【００２９】
また、図２の擬似用品１０の表面には、店頭陳列品のそれぞれについての実寸大の外縁輪郭線が表示されていて、その外縁輪郭線が、次に説明する複数本の横長直線と複数本の縦長直線との組み合わせによって構成される。
【００３０】
すなわち、複数本の横長直線には、擬似用品３０の擬似縁枠部３２に備わっている上下２箇所の横長内縁輪郭線４０ａ，４０ｂと、擬似用品３０の表面に施された２本の横長直線表示４１ａ，４１ｂと、が含まれる。複数本の縦長直線には、擬似用品３０の擬似縁枠部３２に備わっている左右２箇所の縦長内縁輪郭線４０ｃ，４０ｄと、擬似用品３０の表面に施された２本の縦長直線表示４１ｃ，４１ｄと、が含まれる。
【００３１】
この実施形態の販促媒体Ａが対象としている後付けルームミラーは、縦幅×横幅が７０×２３０ｍｍのＳサイズのルームミラーと、縦幅×横幅が９０×２６０ｍｍのＭサイズのルームミラーとの２種類のルームミラーである。そして、横長直線表示４１ａ，４１ｂによる２本の横長直線の相互間隔が７０ｍｍに定められ、縦長直線表示４１ｃ，４１ｄによる２本の縦長直線の相互間隔が２３０ｍｍに定められていて、これら２本づつの横長直線と縦長直線との組み合わせによって、Ｓサイズ（小形サイズ）のルームミラーの店頭陳列品についての実寸大の外縁輪郭線が表示されている。これに対して、上下の横長内縁輪郭線４０ａ，４０ｂによる２本の横長直線の相互間隔が９０ｍｍに定められ、左右の横長内縁輪郭線４０ｃ，４０ｄによる２本の縦長直線の相互間隔が２６０ｍｍに定められていて、これら２本づつの横長直線と縦長直線との組み合わせによって、Ｍサイズ（中形サイズ）のルームミラーの店頭陳列品についての実寸大の外縁輪郭線が表示されている。そして、上下の横長直線表示４１ａ，４１ｂと左右の縦長直線表示４１ｃ，４１ｄとの組み合わせが、Ｓサイズの後付けルームミラーに係る店頭陳列品の反射面についての実寸大の外縁輪郭線を示していることを顧客に認識させるために、上下の横長直線表示４１ａ，４１ｂに、それらの横長直線表示４１ａ、４１ｂを指し示す「矢印」と７０ｍｍの実寸表記でなる商品情報が付されている。同様に、上下の横長内縁輪郭線４０ａ，４０ｂと左右の縦長内縁輪郭線４０ｃ，４０ｄとの組み合わせが、Ｍサイズの後付けルームミラーに係る店頭陳列品の反射面についての実寸大の外縁輪郭線を示していることを顧客に認識させるために、下側の横長内縁輪郭線４０ｂに９０ｍｍの実寸表記でなる商品情報が付され、左側の縦長内縁輪郭線４０ｃを指し示す「矢印」と９０ｍｍの実寸表記でなる商品情報が付されている。
【００３２】
販促媒体Ａが図２の上記構成を備えていると、その販促媒体Ａを顧客が店頭から持ち出し、店内駐車スペースに停めてある自動車の既設ルームミラーにその販促媒体Ａを実際に装着した状態で、その販促媒体Ａの擬似反射面３１に写り込む周囲の状況を目で見て実際の使用感を試すことが可能になる。そのため、顧客にとっては、上記した商品情報を手掛かりにして、実使用に適する後付けルームミラーの店頭陳列品のサイズが、ＳサイズであるかＭサイズであるかを適切に判断選択し、購入することができるようになる。
【００３３】
図３は後付けルームミラーを対象とする販促媒体Ａの他の実施形態の正面図である。図３の販促媒体Ａが対象としている店頭陳列品は、上記したところと同様に、外形が四角形の後付けルームミラーの店頭陳列品である。後付けルームミラーは、自動車のフロントウインドウ上部に設置されている既設ルームミラーに装着して使用され、その一般的な形状は横長矩形である。また、この種の後付けルームミラーは、矩形の反射面とその反射面の周囲の矩形環状の縁枠部とを有している。
【００３４】
図３の販促媒体Ａが対象としている後付けルームミラーの店頭陳列品には、基本的な外形が常識的に横長の矩形（四角形）であると観念できる後付けルームミラーの店頭陳列品が含まれるのであって、仮に、コーナ部が角張っていても丸味を帯びていても、外縁の一部に凹凸があっても、それらは、常識的には外形が四角形であると観念することができるので、図例の販促媒体Ａの対象に含まれる。
【００３５】
図３の販促媒体Ａは、図２の販促媒体Ａと同様に、横長矩形の擬似用品３０の表面に、サイズの異なる複数の店頭陳列品のそれぞれについての実寸大の外縁輪郭線（後述する）が表示されてなる。
【００３６】
擬似用品３０は、「種類」が後付けルームミラーで「形状」が常識的に横長矩形であると認識することができるけれども、その一方でサイズが互いに相違している後付けルームミラーについての複数の店頭陳列品に共通する包括的な外形、具体的には横長四角形の外形を有している。また、この擬似用品３０は、横長矩形の擬似反射面３１とその擬似反射面３１の周囲の矩形環状の擬似縁枠部３２とを有していて、擬似反射面３１や擬似縁枠部３２には、当該販促媒体Ａが対象としている後付けルームミラーの反射面や縁枠部と同様の素材が使用され、同様の着色になっている。
【００３７】
また、図３の擬似用品１０の表面には、店頭陳列品のそれぞれについての実寸大の外縁輪郭線が表示されていて、その外縁輪郭線が、次に説明する複数本の横長直線と複数本の縦長直線との組み合わせによって構成される。
【００３８】
すなわち、複数本の横長直線には、擬似用品３０の擬似縁枠部３２に備わっている上下２箇所の横長内縁輪郭線４０ａ，４０ｂと、擬似用品３０の表面に施された１本の横長直線表示４１ｂと、が含まれ、複数本の縦長直線には、擬似用品３０の擬似縁枠部３２に備わっている左右２箇所の縦長内縁輪郭線４０ｃ，４０ｄと、擬似用品３０の表面に施された１本の縦長直線表示４１ｃと、が含まれる。
【００３９】
この実施形態の販促媒体Ａが対象としている後付けルームミラーは、図２の販促媒体Ａと同様に、縦幅×横幅が７０×２３０ｍｍのＳサイズのルームミラーと、縦幅×横幅が９０×２６０ｍｍのＭサイズのルームミラーとの２種類のルームミラーである。そして、上側の横長内縁輪郭線４０ａと横長直線表示４１ｂとによる２本の横長直線の相互間隔が７０ｍｍに定められ、縦長直線表示４１ｃ，４１ｄによる２本の縦長直線の相互間隔が２３０ｍｍに定められていて、これら２本づつの横長直線と縦長直線との組み合わせによって、Ｓサイズ（小形サイズ）のルームミラーの店頭陳列品についての実寸大の外縁輪郭線が表示されている。これに対して、上下の横長内縁輪郭線４０ａ，４０ｂによる２本の横長直線の相互間隔は９０ｍｍに定められ、左右の縦長内縁輪郭線４０ｃ，４０ｄによる２本の縦長直線の相互間隔は２６０ｍｍに定められていて、これら２本づつの横長直線と縦長直線との組み合わせによって、Ｍサイズ（中形サイズ）のルームミラーの店頭陳列品についての実寸大の外縁輪郭線が表示されている。そして、上側の横長内縁輪郭線４０ａと横長直線表示４１ｂと左右の縦長直線表示４１ｃ，４１ｄとの組み合わせが、Ｓサイズの後付けルームミラーに係る店頭陳列品の反射面についての実寸大の外縁輪郭線を示していることを顧客に認識させるために、横長直線表示４１ｂに、その横長直線表示４１ｂを指し示す「矢印」と７０ｍｍの実寸表記でなる商品情報が付され、さらに、縦長直線表示４１ｃに、その縦長直線表示４１ｃを指し示す「矢印」と２３０ｍｍの実寸表記とアルファベットの「Ｓ」の表記でなる商品情報が付されている。同様に、上下の横長内縁輪郭線４０ａ，４０ｂと左右の横長内縁輪郭線４０ｃ，４０ｄとの組み合わせが、Ｍサイズの後付けルームミラーに係る店頭陳列品の反射面についての実寸大の外縁輪郭線を示していることを顧客に認識させるために、下側の横長内縁輪郭線４０ｂに、その横長内縁輪郭線４０ｂを指し示す「矢印」と９０ｍｍの実寸表記でなる商品情報が付され、さらに、左側の縦長内縁輪郭線４０ｃに、その縦長内縁輪郭線４０ｃを指し示す「矢印」と２６０ｍｍの実寸表記とアルファベットの「Ｍ」の表記でなる商品情報が付されている。
【００４０】
販促媒体Ａが図３の上記構成を備えていると、その販促媒体Ａを顧客が店頭から持ち出し、店内駐車スペースに停めてある自動車の既設ルームミラーにその販促媒体Ａを実際に装着した状態で、その販促媒体Ａの擬似反射面３１に写り込む周囲の状況を目で見て実際の使用感を試すことが可能になる。そのため、顧客にとっては、上記した商品情報を手掛かりにして、実使用に適する後付けルームミラーの店頭陳列品のサイズが、ＳサイズであるかＭサイズであるかを適切に判断選択し、購入することができるようになる。
【００４１】
図４は後付けルームミラーを対象とする販促媒体Ａのさらに他の実施形態の正面図である。
【００４２】
図４の販促媒体Ａが対象としている店頭陳列品は、上記したところと同様に、外形が四角形の後付けルームミラーの店頭陳列品である。後付けルームミラーは、自動車のフロントウインドウ上部に設置されている既設ルームミラーに装着して使用され、その一般的な形状は横長矩形である。また、この種の後付けルームミラーは、矩形の反射面とその反射面の周囲の矩形環状の縁枠部とを有している。
【００４３】
図４の販促媒体Ａが対象としている後付けルームミラーの店頭陳列品には、基本的な外形が常識的に横長の矩形（四角形）であると観念できる後付けルームミラーの店頭陳列品が含まれるのであって、仮に、コーナ部が角張っていても丸味を帯びていても、外縁の一部に凹凸があっても、それらは、常識的には外形が四角形であると観念することができるので、図例の販促媒体Ａの対象に含まれる。
【００４４】
図４の販促媒体Ａは、図２及び図３の販促媒体Ａと同様に、横長矩形の擬似用品３０の表面に、サイズの異なる複数の店頭陳列品のそれぞれについての実寸大の外縁輪郭線（後述する）が表示されてなる。
【００４５】
擬似用品３０は、「種類」が後付けルームミラーで「形状」が常識的に横長矩形であると認識することができるけれども、その一方でサイズが互いに相違している後付けルームミラーについての複数の店頭陳列品に共通する包括的な外形、具体的には横長四角形の外形を有している。また、この擬似用品３０は、横長矩形の擬似反射面３１とその擬似反射面３１の周囲の矩形環状の擬似縁枠部３２とを有していて、擬似反射面３１や擬似縁枠部３２には、当該販促媒体Ａが対象としている後付けルームミラーの反射面や縁枠部と同様の素材が使用され、同様の着色になっている。
【００４６】
また、図４の擬似用品１０の表面には、店頭陳列品のそれぞれについての実寸大の外縁輪郭線が表示されていて、その外縁輪郭線が、次に説明する複数本の横長直線と複数本の縦長直線との組み合わせによって構成される。
【００４７】
すなわち、複数本の横長直線には、擬似用品３０の擬似縁枠部３２に備わっている上下の横長内縁輪郭線４０ａ，４０ｂが含まれ、複数本の縦長直線には、擬似用品３０の擬似縁枠部３２に備わっている左右の縦長内縁輪郭線４０ｃ，４０ｄと、擬似用品３０の表面に施された２本の縦長直線表示４１ｃ，４１ｄと、が含まれる。
【００４８】
この実施形態の販促媒体Ａが対象としている後付けルームミラーは、横幅が２３０ｍｍのＳサイズのルームミラーと、横幅が２７０ｍｍのＭサイズのルームミラーとの２種類のルームミラーである。そして、上下の横長内縁輪郭線４０ａ，４０ｂによる２本の横長直線の相互間隔がＳサイズのルームミラーの反射面の縦幅と同一寸法に定められ、縦長直線表示４１ｃ，４１ｄによる２本の縦長直線の相互間隔が２３０ｍｍに定められていて、これら２本づつの横長直線と縦長直線との組み合わせによって、Ｓサイズ（小形サイズ）のルームミラーの店頭陳列品についての実寸大の外縁輪郭線が表示されている。これに対して、上下の横長内縁輪郭線４０ａ，４０ｂによる２本の横長直線の相互間隔は、Ｍサイズのルームミラーの反射面の縦幅と同一寸法に定められ、左右の縦長内縁輪郭線４０ｃ，４０ｄによる２本の縦長直線の相互間隔は２７０ｍｍに定められていて、これら２本づつの横長直線と縦長直線との組み合わせによって、Ｍサイズ（中形サイズ）のルームミラーの店頭陳列品についての実寸大の外縁輪郭線が表示されている。そして、上下の横長内縁輪郭線４０ａ，４０ｂと左右の縦長直線表示４１ｃ，４１ｄとの組み合わせが、Ｓサイズの後付けルームミラーに係る店頭陳列品の反射面についての実寸大の外縁輪郭線を示していることを顧客に認識させるために、縦長直線表示４１ｃに、その縦長直線表示４１ｃを指し示す「矢印」と２３０ｍｍの実寸表記とアルファベットの「Ｓ」の表記とでなる商品情報が付されている。同様に、上下の横長内縁輪郭線４０ａ，４０ｂと左右の横長内縁輪郭線４０ｃ，４０ｄとの組み合わせが、Ｍサイズの後付けルームミラーに係る店頭陳列品の反射面についての実寸大の外縁輪郭線を示していることを顧客に認識させるために、左側の縦長内縁輪郭線４０ｃに、その横長内縁輪郭線４０ｃを指し示す「矢印」と２７０ｍｍの実寸表記とアルファベットの「Ｍ」の表記でなる商品情報が付されている。
【００４９】
販促媒体Ａが図４の上記構成を備えていると、その販促媒体Ａを顧客が店頭から持ち出し、店内駐車スペースに停めてある自動車の既設ルームミラーにその販促媒体Ａを実際に装着した状態で、その販促媒体Ａの擬似反射面３１に写り込む周囲の状況を目で見て実際の使用感を試すことが可能になる。そのため、顧客にとっては、上記した商品情報を手掛かりにして、実使用に適する後付けルームミラーの店頭陳列品のサイズが、ＳサイズであるかＭサイズであるかを適切に判断選択し、購入することができるようになる。
【００５０】
図５は後付けルームミラーを対象とする販促媒体Ａのさらに他の実施形態の正面図である。
【００５１】
図５の販促媒体Ａが対象としている店頭陳列品は、上記したところと同様に、外形が四角形の後付けルームミラーの店頭陳列品である。後付けルームミラーは、自動車のフロントウインドウ上部に設置されている既設ルームミラに装着して使用され、その一般的な形状は横長矩形である。また、この種の後付けルームミラーは、矩形の反射面とその反射面の周囲の矩形環状の縁枠部とを有している。
【００５２】
図５の販促媒体Ａが対象としている後付けルームミラーの店頭陳列品には、基本的な外形が常識的に横長の矩形（四角形）であると観念できる後付けルームミラーの店頭陳列品が含まれるのであって、仮に、コーナ部が角張っていても丸味を帯びていても、外縁の一部に凹凸があっても、それらは、常識的には外形が四角形であると観念することができるので、図例の販促媒体Ａの対象に含まれる。
【００５３】
図５の販促媒体Ａは、図２〜図４の販促媒体Ａと同様に、横長矩形の擬似用品３０の表面に、サイズの異なる複数の店頭陳列品のそれぞれについての実寸大の外縁輪郭線（後述する）が表示されてなる。
【００５４】
擬似用品３０は、「種類」が後付けルームミラーで「形状」が常識的に横長矩形であると認識することができるけれども、その一方でサイズが互いに相違している後付けルームミラーについての複数の店頭陳列品に共通する包括的な外形、具体的には横長四角形の外形を有している。また、この擬似用品３０は、横長矩形の擬似反射面３１とその擬似反射面３１の周囲の矩形環状の擬似縁枠部３２とを有していて、擬似反射面３１や擬似縁枠部３２には、当該販促媒体Ａが対象としている後付けルームミラーの反射面や縁枠部と同様の素材が使用され、同様の着色になっている。
【００５５】
また、図５の擬似用品１０の表面には、店頭陳列品のそれぞれについての実寸大の外縁輪郭線が表示されていて、その外縁輪郭線が、次に説明する複数本の横長直線と複数本の縦長直線との組み合わせによって構成される。
【００５６】
すなわち、複数本の横長直線には、擬似用品３０の擬似縁枠部３２に備わっている上下の横長内縁輪郭線４０ａ，４０ｂと、擬似用品３０の擬似反射面３１に施された２本の横長直線表示４１ａ，４１ｂとが含まれる。複数本の縦長直線には、擬似用品３０の擬似縁枠部３２に備わっている左右の縦長内縁輪郭線４０ｃ，４０ｄが含まれる。
【００５７】
この実施形態の販促媒体Ａが対象としている後付けルームミラーは、反射面の縦幅が短いＳサイズのルームミラーと、反射面の縦幅が長いＭサイズのルームミラーと、の２種類のルームミラーである。また、ＳサイズのルームミラーとＭサイズのルームミラーとは、それらの反射面の横幅が同一の寸法になっている。そして、上下の横長直線表示４１ａ，４１ｂによる２本の横長直線の相互間隔がＳサイズのルームミラーの反射面の縦幅と同一寸法に定められ、縦長内縁輪郭線４０ｃ，４０ｄによる２本の縦長直線の相互間隔がＳサイズのルームミラーの反射面の横幅と同一寸法に定められていて、これら２本づつの横長直線と縦長直線との組み合わせによって、Ｓサイズ（小形サイズ）のルームミラーの店頭陳列品についての実寸大の外縁輪郭線が表示されている。これに対して、上下の横長内縁輪郭線４０ａ，４０ｂによる２本の横長直線の相互間隔は、Ｍサイズのルームミラーの反射面の縦幅と同一寸法に定められていて、これら２本の横長直線と上記した２本の縦長直線との組み合わせによって、Ｍサイズ（中形サイズ）のルームミラーの店頭陳列品についての実寸大の外縁輪郭線が表示されている。そして、上下の横長直線表示４１ａ，４１ｂと左右の横長内縁輪郭線４０ｃ，４０ｄとの組み合わせが、Ｓサイズの後付けルームミラーに係る店頭陳列品の反射面についての実寸大の外縁輪郭線を示していることを顧客に認識させるために、下側の横長直線表示４１ｂに、その横長直線表示４１ｂを指し示す「矢印」とアルファベットの「Ｓ」の表記とでなる商品情報が付されている。同様に、上下の横長内縁輪郭線４０ａ，４０ｂと左右の縦長直線表示４１ｃ，４１ｄとの組み合わせが、Ｍサイズの後付けルームミラーに係る店頭陳列品の反射面についての実寸大の外縁輪郭線を示していることを顧客に認識させるために、下側の横長内縁輪郭線４０ｂに、その横長内縁輪郭線４０ｂを指し示す「矢印」とアルファベットの「Ｍ」の表記とでなる商品情報が付されている。
【００５８】
販促媒体Ａが図５の上記構成を備えていると、その販促媒体Ａを顧客が店頭から持ち出し、店内駐車スペースに停めてある自動車の既設ルームミラーにその販促媒体Ａを実際に装着した状態で、その販促媒体Ａの擬似反射面３１に写り込む周囲の状況を目で見て実際の使用感を試すことが可能になる。そのため、顧客にとっては、上記した商品情報を手掛かりにして、実使用に適する後付けルームミラーの店頭陳列品のサイズが、ＳサイズであるかＭサイズであるかを適切に判断選択し、購入することができるようになる。
【００５９】
図１〜図５を参照して説明した各実施形態の擬似用品１０では、その擬似反射面３１に、当該擬似用品が、実用に不向きな店頭陳列品である旨を顧客に知らせるための盗難予防表示５０が施されている。この盗難予防表示５０は、当該擬似用品が、実用に不向きな店頭陳列品である旨を顧客に知らせることを通じて、当該擬似用品を盗難から防護しようとするための表示であって、具体的には「見本」「サンプル」「非売品」などの文字列による表示や、「特定の販売店の名称」の表示などが該当する。このような盗難予防表示５０を擬似反射面３１に印刷印字やシール貼付などによって施しておくと、顧客の誤認によって擬似用品１０がそのまま実使用されてしまう、というような事態が未然に回避され、併せて、擬似用品１０の盗難も防止される。
【００６０】
図２〜図５を参照して説明したそれぞれの実施形態においては、理解を容易にすることを意図して、同一又は相応する要素に同一の符号を付してある。なお、図２〜図５に示した擬似用品には、既設ルームミラーに装着するときに使用されるクリップなどの留め具が備わっている。
【符号の説明】
【００６１】
Ａ  カー用品販促媒体
１０，３０  擬似用品
２１ａ，２１ｂ  横長直線表示
２１ｃ，２１ｄ  縦長直線表示
３２  擬似縁枠部
４０ａ，４０ｂ  横長内縁輪郭線
４０ｃ，４０ｄ  縦長内縁輪郭線
４１ａ，４１ｂ  横長直線表示
４１ｃ，４１ｄ  縦長直線表示
【図１】
0003197845.tif 000003
【図２】
0003197845.tif 000004
【図３】
0003197845.tif 000005
【図４】
0003197845.tif 000006
【図５】
0003197845.tif 000007
【図６】
0003197845.tif 000008